(57)【要約】【課題】給水系統の管理とメンテナンスを行いやすく、製作コストの安価な原子力プラントの補給水設備を提供する。【解決手段】復水貯蔵槽１から復水補給水系負荷３へ補給水を供給する復水補給水ライン２と、この復水補給水ライン２から分岐して設けられ前記復水貯蔵槽１から燃料プール補給水系負荷１１へ補給水を供給する燃料プール補給水ライン１０とを備えている構成とする。【選択図】　図１
2004132779.tif 000002
【特許請求の範囲】
【請求項１】
復水貯蔵槽から復水補給水系負荷へ補給水を供給する復水補給水ラインと、この復水補給水ラインから分岐して設けられ前記復水貯蔵槽から燃料プール補給水系負荷へ補給水を供給する燃料プール補給水ラインとを備えていることを特徴とする原子力プラントの補給水設備。
【請求項２】
前記燃料プール補給水ラインを分岐した下流側の前記復水補給水ラインに手動操作または供給ヘッダ圧力低信号により閉動作する空気作動弁を備えていることを特徴とする請求項１記載の原子力プラントの補給水設備。
【請求項３】
前記燃料プール補給水ラインに電動または手動により閉動作する隔離弁を備えていることを特徴とする請求項１記載の原子力プラントの補給水設備。
【発明の詳細な説明】
【０００１】
【発明の属する技術分野】
本発明は、原子力プラントにおいて燃料プール補給水および復水補給水を供給する原子力プラントの補給水設備に関する。
【０００２】
【従来の技術】
従来の原子力プラントにおいては、燃料プール補給水系と復水補給水系が設けられている（例えば、特許文献１および２参照）。すなわち図２に示すように、復水貯蔵槽１には復水補給水ライン２を介して復水補給水系負荷３が接続され、燃料プール補給水ライン１０を介して燃料プール補給水系負荷１１が接続されている。
【０００３】
復水補給水ライン２には並列接続された３台の復水補給水ポンプ４が設けられ、その吐出側には復水貯蔵槽１に戻るミニフローライン５が接続されている。また、復水補給水ポンプ４の吐出側と復水補給水系負荷３の間にはヘッダ圧力スイッチ６とヘッダ圧力計７が設けられ、ヘッダ圧力スイッチ６および復水貯蔵槽１に設けられた水位スイッチ８によって復水補給水ポンプ４を運転・停止制御する構成になっている。
【０００４】
燃料プール補給水ライン１０には燃料プール補給水ポンプ１２が設けられ、その吸込側に設けられた吸込圧力スイッチ１４によって吐出側に設けられた吐出流量スイッチ１３を制御するようになっている。また、吐出流量スイッチ１３と燃料プール補給水系負荷１１との間には、テストライン弁１５を備え復水貯蔵槽１に戻るテストライン１６が接続されている。
【０００５】
【特許文献１】
特開昭５６−１０８９９５号公報
【特許文献２】
特開平１０−３０７１９９号公報
【０００６】
【発明が解決しようとする課題】
上記のような構成の従来の原子力プラントの補給水設備において、燃料プール及び補機冷却水系サージタンクに非常用の復水を補給する系統設備である燃料プール補給水ライン１０は、インサービスされることは殆どない。しかし、系統機能を確認をするための定期試験（ポンプ運転確認）や給水系統の管理・メンテナンスは行う必要がある。
そこで本発明は、給水系統の管理とメンテナンスを行いやすく、製作コストの安価な原子力プラントの補給水設備を提供することを目的とする。
【０００７】
【課題を解決するための手段】
上記目的を達成するために、請求項１の発明は、復水貯蔵槽から復水補給水系負荷へ補給水を供給する復水補給水ラインと、この復水補給水ラインから分岐して設けられ前記復水貯蔵槽から燃料プール補給水系負荷へ補給水を供給する燃料プール補給水ラインとを備えている構成とする。
【０００８】
請求項２の発明は、前記燃料プール補給水ラインを分岐した下流側の前記復水補給水ラインに手動操作または供給ヘッダ圧力低信号により閉動作する空気作動弁を備えている構成とする。
請求項３の発明は、前記燃料プール補給水ラインに電動または手動により閉動作する隔離弁を備えている構成とする。
【０００９】
【発明の実施の形態】
以下に本発明の実施の形態の原子力プラントの補給水設備を図１を参照して説明する。すなわち、復水貯蔵槽１には復水補給水ライン２を介して復水補給水系負荷３が接続され、復水補給水ライン２の途中から分岐した燃料プール補給水ライン１０によって燃料プール補給水系負荷１１が接続されている。ここで、復水補給水系負荷３は原子力プラント内で復水を必要とする常用の機器や配管等であり、燃料プール補給水系負荷１１は燃料プール１８と補機冷却水系サージタンク１９を含む。
【００１０】
復水補給水ライン２には並列接続された３台の復水補給水ポンプ４が設けられ、その吐出側には復水貯蔵槽１に戻るミニフローライン５が接続されている。復水補給水系負荷３に入る手前には空気作動隔離弁２０が設けられている。復水補給水ポンプ４の吐出側にはヘッダ圧力スイッチ６とヘッダ圧力計７が設けられ、ヘッダ圧力スイッチ６および復水貯蔵槽１に設けられた水位スイッチ８によって復水補給水ポンプ４を運転・停止制御するとともに空気作動隔離弁２０を開閉制御する構成になっている。
【００１１】
燃料プール補給水ライン１０には電動隔離弁１７が設けられている。復水補給水ポンプ４は通常１台運転で定期的に切り替えを行い、必要最小流量はミニフローライン５にて確保される。また、ヘッダ圧力計７により中央制御室から遠隔監視を行い、負荷使用量の増加によるヘッダ圧力低下時は、予備の復水補給水ポンプ４を手動で追加起動させるか、ヘッダ圧力スイッチ６により圧力低下を検出し、自動でバックアップ起動させる。
【００１２】
燃料プール１８へ復水を供給する場合は、復水貯蔵槽１から復水補給水ポンプ４で圧送し、電動隔離弁１７を通過後、燃料プール補給水ライン１０を経由して供給する。補機冷却水系サージタンク１９へ復水を供給する場合も同様である。復水補給水系負荷３へ復水を供給する場合は、復水貯蔵槽１から復水補給水ポンプ４で圧送し、空気作動隔離弁２０を経て供給する。
【００１３】
地震に対しては、機器の安全面での重要性、放射能漏洩対策の観点から、原子力プラント全体を耐震設計の厳しい順に耐震クラスＡ，Ｂ，Ｃの三段階に分け、建物とその内部の機器の耐震性を規定している。現行のＢＷＲでは、原子炉建屋と熱交換器建屋は耐震Ａクラス、蒸気タービン建屋はＢクラス、放射能漏れの可能性のないものは耐震Ｃクラスに属している。また、現行のＰＷＲは、原子炉建屋がないが、耐震の観点からはＢＷＲと同様の基準に基づいている。
【００１４】
本実施の形態の原子力プラントの補給水設備では、復水貯蔵槽１から燃料プール１８および補機冷却水系サージタンク１９へ至る配管は耐震クラスＡで構成され、燃料プール補給水ライン１０を分岐した下流側の復水補給水ライン２は耐震クラスＢで構成される。
【００１５】
空気作動隔離弁２０より下流で地震等による配管破断が発生した場合は、必要により空気作動隔離弁２０を手動にて全閉する。あるいは、ヘッダ圧力スイッチ６によりヘッダ圧力の低下を検出し、空気作動隔離弁２０を自動的に全閉することにより当該破断箇所を隔離して、燃料プール１８及び補機冷却水系サージタンク１９の非常用補給機能を維持する。
【００１６】
定検時のメンテナンス等で、燃料プール１８の補給ラインまたは、補機冷却水系サージタンク１９の補給ラインを隔離する場合は、電動隔離弁１７を手動にて全閉し、復水補給水系負荷３に復水を供給する。
【００１７】
復水貯蔵槽１の水位が低下した場合は、水位スイッチ８にて復水補給水ポンプ４を停止させて、ポンプキャビテーションを防止し、復水補給水ポンプ４を保護する。
【００１８】
この実施の形態の原子力プラントの補給水設備によれば、従来２系統で各々が有していた機能を１系統の設備で全て有することができるため、１系統削減されることにより設備管理及びメンテナンスコストが低減される。また、製作コストも低減する。更に運転員の負担も軽減し、その分他系統への監視が強化され、プラント全体の安全を高めることができる。
【００１９】
【発明の効果】
本発明によれば、給水系統の管理とメンテナンスを行いやすく、製作コストの安価な原子力プラントの補給水設備を提供することができる。
【図面の簡単な説明】
【図１】本発明の実施の形態の原子力プラントの補給水設備を示す構成図。
【図２】従来の原子力プラントの補給水設備を示す構成図。
【符号の説明】
１…復水貯蔵槽、２…復水補給水ライン、３…復水補給水系負荷、４…復水補給水ポンプ、５…ミニフローライン、６…ヘッダ圧力スイッチ、７…ヘッダ圧力計、８…水位スイッチ、１０…燃料プール補給水ライン、１１…燃料プール補給水系負荷、１２…燃料プール補給水ポンプ、１３…吐出流量スイッチ、１４…吸込圧力スイッチ、１５…テストライン弁、１６…テストライン、１７…電動隔離弁、１８…燃料プール、１９…補機冷却水系サージタンク、２０…空気作動隔離弁。
【図１】
2004132779.tif 000003
【図２】
2004132779.tif 000004